(57)【要約】【課題】ＩＣカード自体の外形寸法が互いに同一であって、その電極パッドの配列が互いに異なるものを共通のカード収容部に収容でき、しかも、ＩＣカード用コネクタの小型化を図ることができること。【解決手段】カード収容部において、着脱可能に装着されるＳＤカードＳＤＣに電気的に接続されるコンタクト端子１６ａｉを備える上方側部分１４Ｕと、着脱可能に装着されるＨＧ−Ｄｕｏカード２２またはＤｕｏカード２３に電気的に接続されるコンタクト端子１８ａｉを備える下方側部分１４Ｄとが階層的に形成されるもの。【選択図】図１
2011034878.tif 000002
【特許請求の範囲】
【請求項１】
第１のＩＣカードを着脱可能に収容する上方側部分と、該上方側部分の底部を形成する仕切部材を介して該上方側部分の下方位置に形成され、前記第１のＩＣカードの電極パッドの配列と異なる複数の電極パッドであって、該複数の電極パッドの相互間隔が互いに同一とされ、データ伝送速度が互いに異なる２種類のＩＣカードのうちのいずれか一方とされる第２のＩＣカードを着脱可能に収容する下方側部分と、を備えるＩＣカード収容部と、
前記上方側部分に配され、前記第１のＩＣカードの電極パッドに電気的に接続される第１のコンタクト端子群と、
前記下方側部分に配され、前記第２のＩＣカードの電極パッドに電気的に接続される第２のコンタクト端子群と、を備え、
前記第１のＩＣカードまたは前記第２のＩＣカードが、それぞれ、ＩＣカード収容部の上方側部分、下方側部分に装着された場合、該第１のＩＣカードおよび前記第２のＩＣカードにおいて該ＩＣカード収容部の端部から外部に露出する端部の長さが互いに略同一であることを特徴とするＩＣカード用コネクタ。
【請求項２】
前記ＩＣカード収容部に前記第１および第２のＩＣカードの着脱方向を横切る方向に延在し回動可能に支持され、該第１のＩＣカードが前記上方側部分に装着されるとき、該第１のＩＣカードの進行方向の端部が一方向に向くように該端部を誘導する第１の位置の状態をとり、前記第２のＩＣカードが前記下方側部分に装着されるとき、該第２のＩＣカードの進行方向の端部が他方向に向かうように該端部を誘導する第２の位置の状態をとる誤挿入規制部材と、前記誤挿入規制部材を前記第１のＩＣカードの排出方向に付勢する付勢部材と、前記誤挿入規制部材の両端に形成される係合部に係合される開口部を有する弾性変位可能な可動片をそれぞれ有し、前記第２のＩＣカードが該下方側部分に装着されるとき、該誤挿入規制部材の第２の位置を選択的に維持する一対のロック部材と、を含んで構成される誤挿入防止機構部をさらに備えることを特徴とする請求項１記載のＩＣカード用コネクタ。
【請求項３】
前記仕切部材における前記ＩＣカード収容部のカードスロット側の端部が、前記誤挿入規制部材の回動領域内まで延在することを特徴とする請求項２記載のＩＣカード用コネクタ。
【請求項４】
前記仕切部材は、前記第１のＩＣカードの誤挿入動作を規制する突起片を有することを特徴とする請求項１記載のＩＣカード用コネクタ。
【請求項５】
前記ＩＣカード収容部における上方側部分に装着された前記第１のＩＣカードまたは下方側部分に装着された前記第２のＩＣカードを保持または外部へ排出するイジェクタ部材を有するイジェクト機構を備え、該イジェクタ部材は、該第１のＩＣカードを受け止める第１のカード受け部と、該第２のＩＣカードを受け止める第２のカード受け部とを前記上方側部分および前記下方側部分に対応して一体に有することを特徴とする請求項１記載の
ＩＣカード用コネクタ。
【発明の詳細な説明】
【技術分野】
【０００１】
本発明は、複合のカード収容部を備えるＩＣカード用コネクタに関する。
【背景技術】
【０００２】
電子機器において、一般に、ＳＤ（secure digital）カード、メモリースティックＤｕｏ（商標）等のＩＣカードをその各機器にＩＣカードコネクタを介して装着することにより、各種の機能拡張が行なわれている。また、ＩＣカードコネクタにおいては、互いに形状の異なる複数のＩＣカードを一つの電子機器内に装着し利用するために例えば、特許文献１にも示されるように、各ＩＣカードに対し共通のカードスロットを有し、各ＩＣカードが１枚づつ選択的に着脱される複合のカード収容部を設けたものが提案されている。
【０００３】
このような複合のカード収容部を有するＩＣカードコネクタにおいては、各カード収容
部は、一部を互いに重複するようにＩＣカードの着脱方向に沿って階層的に形成されてい
る。例えば、特許文献１における図３３乃至図３５に示されるように、ＳＤカードが装着される際、カードガイドによって押し下げられる仕切板により区切られた各カード収容部の一部には、各ＩＣカードのコンタクトパッドに対応したコンタクト端子群が、それぞれ、個別に設けられている。各コンタクト端子群における各コンタクト端子の半田付け固定端子は、カード収容部を形成する共通の後壁に圧入され支持されている。また、各ＩＣカードが複合のカード収容部に装着されるとき、各コンタクト端子における各ＩＣカードのコンタクトパッドに当接する接点部は、共通のカードスロットに向けて同一方向に延在している。
【０００４】
さらに、例えば、メモリースティックＰＲＯ  Ｄｕｏ（商標）カードと、メモリースティックＰＲＯ−ＨＧ  Ｄｕｏ（商標）カードとの関係のように、データ転送速度が互いに異なる複数のＩＣカードである場合、複数のＩＣカード相互間において、ＩＣカード自体の外形寸法が互いに同一であっても、ＩＣカードの電極パッドの配列は、互いに異なるものがある。このような場合であっても、それらのいずれのカードも、共通のカードコネクタにおける共通のカード収容部に装着されることが要望される場合がある。
【先行技術文献】
【特許文献】
【０００５】
【特許文献１】特開２００４−２０６９６３号公報
【発明の概要】
【発明が解決しようとする課題】
【０００６】
上述のような複合のカード収容部における一方の共通のカード収容部に、仮に、例えば、メモリースティックＰＲＯ  Ｄｕｏ（商標）カードと、メモリースティックＰＲＯ−ＨＧ  Ｄｕｏ（商標）カードとを選択的に装着できるようにする場合、上述のような仕切板の下方に形成されるカード収容部内に、メモリースティックＰＲＯ  Ｄｕｏ（商標）カード、および、メモリースティックＰＲＯ−ＨＧ  Ｄｕｏ（商標）カード双方にとって共通して必要とされるコンタクト端子、ならびに、メモリースティックＰＲＯ−ＨＧ  Ｄｕｏ（商標）カードだけに必要とされるコンタクト端子が設けられなければならない。
【０００７】
また、上述のＳＤカードが装着される場合、カードガイドによって押し下げられる仕切板が、メモリースティックＰＲＯ−ＨＧ  Ｄｕｏ（商標）カードだけに必要とされるコンタクト端子の接点部に当接してしまう。
これにより、仕切板に当接するコンタクト端子によって仕切板が持ち上げられることによって、ＳＤカード用のコンタクト端子の接点部における適正な接触力が得られなくなり、あるいは、メモリースティックカード用コンタクト端子または仕切板が変形してしまう恐れがある。
【０００８】
また、仕切板が押圧されるとき、コンタクト端子の接点部が選択的に挿入される切欠部や孔などを仕切板に形成し、コンタクト端子の接点部と仕切板との当接を防ぐことは、その仕切板の強度を損なうこととなる。その結果、メモリースティックＰＲＯ  Ｄｕｏ（商標）カード、または、メモリースティックＰＲＯ−ＨＧ  Ｄｕｏ（商標）が装着された場合、強度不足に起因した仕切板の変形により、メモリースティックカード用コンタクト端子の接点部において、適正な接触力を得ることができない恐れがある。
【０００９】
以上の問題点を考慮し、本発明は、複合のカード収容部を備えるＩＣカード用コネクタであって、ＩＣカード自体の外形寸法が互いに同一であって、その電極パッドの配列が互いに異なるものを共通のカード収容部に収容でき、しかも、電子機器とＩＣカード用コネクタに装着されたＩＣカードとの電気的な接続をコンタクト端子の接点部の適正な接触力で行なうことができるＩＣカード用コネクタを提供することを目的とする。
【課題を解決するための手段】
【００１０】
上述の目的を達成するために、本発明に係るＩＣカード用コネクタは、第１のＩＣカードを着脱可能に収容する上方側部分と、上方側部分の底部を形成する仕切部材を介して上方側部分の下方位置に形成され、第１のＩＣカードの電極パッドの配列と異なる複数の電極パッドであって、複数の電極パッドの相互間隔が互いに同一とされ、データ伝送速度が互いに異なる２種類のＩＣカードのうちのいずれか一方とされる第２のＩＣカードを着脱可能に収容する下方側部分と、を備えるＩＣカード収容部と、上方側部分に配され、第１のＩＣカードの電極パッドに電気的に接続される第１のコンタクト端子群と、下方側部分に配され、第２のＩＣカードの電極パッドに電気的に接続される第２のコンタクト端子群と、を備え、第１のＩＣカードまたは第２のＩＣカードが、それぞれ、ＩＣカード収容部の上方側部分、下方側部分に装着された場合、第１のＩＣカードおよび第２のＩＣカードにおいてＩＣカード収容部の端部から外部に露出する端部の長さが互いに略同一であることを特徴とする。
【発明の効果】
【００１１】
本発明に係るＩＣカード用コネクタによれば、ＩＣカード収容部は、第１のＩＣカードの電極パッドの配列と異なる複数の電極パッドであって、複数の電極パッドの相互間隔が互いに同一とされ、データ伝送速度が互いに異なる２種類のＩＣカードのうちのいずれか一方とされる第２のＩＣカードを着脱可能に収容する下方側部分とを備え、第１のＩＣカードまたは第２のＩＣカードが、それぞれ、ＩＣカード収容部の上方側部分、下方側部分に装着された場合、第１のＩＣカードおよび第２のＩＣカードにおいてＩＣカード収容部の端部から外部に露出する端部の長さが互いに略同一なのでＩＣカード自体の外形寸法が互いに同一であって、その電極パッドの配列が互いに異なるものを共通のカード収容部に収容でき、しかも、仕切部材が上方側部分の底部を形成するので第１のＩＣカードおよび第２のＩＣカードの着脱に応じて仕切部材が移動することがなく、従って、電子機器とＩＣカード用コネクタに装着されたＩＣカードとの電気的な接続を、コンタクト端子の接点部の適正な接触力で行なうことができる。
【図面の簡単な説明】
【００１２】
【図１】本発明に係るＩＣカード用コネクタの一例の要部を示す断面図である。
【図２】本発明に係るＩＣカード用コネクタの一例の外観を示す平面図である。
【図３】図２に示される例においてカバー部材が取り外された状態を示す平面図である。
【図４】図２に示される例においてカバー部材および仕切板等が取り外された状態を示す平面図である。
【図５】図２に示される例におけるイジェクト機構に用いられるイジェクタ部材を示す平面図である。
【図６】図５に示される例における正面図である。
【図７】図５に示される例における側面図である。
【図８】図２に示される例においてＳＤカードの着脱動作の説明に供される平面図である。
【図９】図８に示される状態を示す断面図である。
【図１０】図２に示される例においてＨＧ−Ｄｕｏカードの着脱動作の説明に供される平面図である。
【図１１】図１０に示される状態を示す断面図である。
【図１２】（Ａ）および（Ｂ）は、それぞれ、図２に示される例において用いられるＨＧ−ＤｕｏカードおよびＤｕｏカードを示す平面図である。
【発明を実施するための形態】
【００１３】
図２は、本発明に係るＩＣカード用コネクタの一例の外観を示す。
【００１４】
図２に示されるＩＣカード用コネクタは、所定の電子機器、例えば、携帯電話機、ＰＤＡ、カメラ等の内部に配されるものとされる。
【００１５】
図２に示されるＩＣカード用コネクタは、例えば、そのカード収容部に着脱可能に収容されるＩＣカードとしてのメモリカード、例えば、第１のＩＣカードとしてのＳＤカード（ｓｅｃｕｒｅ  ｄｅｇｉｔａｌ ｃａｒｄ）（商標）ＳＤＣ（図８参照）、または、第２のＩＣカードとしてのメモリースティックＰＲＯ−ＨＧ  Ｄｕｏ（商標）カード２２（図１２（Ａ）参照）のうちのいずれかの電極部と所定の電子機器の内部に配される信号入出力用等の基板ＰＢの接続端子部とを電気的に接続するものとされる。なお、そのＩＣカード用コネクタは、メモリースティックＰＲＯ−ＨＧ  Ｄｕｏ（商標）カード（以下、ＨＧ−Ｄｕｏカード２２ともいう）の代わりに、例えば、外形寸法が互いに同一とされるメモリースティックＰＲＯ−Ｄｕｏ（商標）と呼ばれるメモリカード（以下、Ｄｕｏカード２３ともいう）（図１２（Ｂ）参照）も着脱可能に装着可能とされる。
【００１６】
なお、ＩＣカードは、上述のＳＤカードに限られることなく、ＭＭＣ（ｍｕｌｔｉ  ｍｅｄｉａ  ｃａｒｄ）カード（商標）、フラッシュメモリまたは超小型のハードディスクを内蔵したメモリカード等のいずれかの中から選択されるものであってもよい。
【００１７】
ＳＤカードＳＤＣは、例えば、厚さ約２．１ｍｍ、縦横の寸法がそれぞれ約３２ｍｍ、約２４ｍｍに設定されている。ＨＧ−Ｄｕｏカード２２の長手寸法および幅寸法は、ＳＤカードＳＤＣの長手寸法および幅寸法に比して、小である。
【００１８】
板状のＨＧ−Ｄｕｏカード２２は、例えば、図１２（Ａ）に示されるように、相対向する表面部２２Ａおよび裏面部２２Ｂを有する。なお、図１２（Ａ）においては、ＨＧ−Ｄｕｏカード２２の裏面部２２Ｂのみを示す。また、ＨＧ−Ｄｕｏカード２２は、その先端の角部に、面取り部２２ｃを有している。
【００１９】
ＨＧ−Ｄｕｏカード２２における裏面部２２Ｂには、その面取り部２２ｃに隣接した部分に形成される比較的浅い凹部２２ｂの周囲に、突起部がＨＧ−Ｄｕｏカード２２の側面に沿って所定の長さだけ形成されている。
【００２０】
また、ＨＧ−Ｄｕｏカード２２の側面における突起部に対し所定距離、離隔した部分には、逃げ部２２ａが設けられている。逃げ部２２ａは、他の部分の厚さに比べて薄く形成されている。
【００２１】
ＨＧ−Ｄｕｏカード２２の裏面部２２Ｂにおける先端部には、凹部２２ｂから中央側に離隔した位置に、複数の凹部がその長辺に対し略平行に所定の間隔で形成されている。各凹部の幅およびＨＧ−Ｄｕｏカード２２の長手方向に沿った長さは、互いに同一に設定されている。隣接する凹部相互間、および、その列の端に位置する凹部と凹部２２ｂとの間は、仕切壁により仕切られている。
【００２２】
図１２（Ａ）において、凹部２２ｂに最も近い１番目の凹部の底面には、電極部としてのコンタクトパッド２２ｃｐ１（＃１）が配設されている。隣接する２番目の凹部の底面には、コンタクトパッド２２ｃｐ１と同一の長さのコンタクトパッド２２ｃｐ２（＃２）が配設されている。３番目の凹部の底面には、分割されたコンタクトパッド２２ｃｐ３（＃３）とコンタクトパッド２２ｃｐ１１（＃１１）とが、所定の隙間をもって一列に配置されている。５番目の凹部の底面には、分割されたコンタクトパッド２２ｃｐ５（＃５）とコンタクトパッド２２ｃｐ１３（＃１３）とが所定の隙間をもって一列に配置されている。６番目の凹部の底面には、コンタクトパッド２２ｃｐ１と同一の長さのコンタクトパッド２２ｃｐ６（＃６）が配設されている。７番目の凹部の底面には、分割されたコンタクトパッド２２ｃｐ７（＃７）とコンタクトパッド２２ｃｐ１４（＃１４）とが所定の隙間をもって一列に配置されている。８番目から１０番目までの凹部の底面には、それぞれ、コンタクトパッド２２ｃｐ１と同一の長さのコンタクトパッド２２ｃｐ８（＃８）、コンタクトパッド２２ｃｐ９（＃９）、および、コンタクトパッド２２ｃｐ１０（＃１０）が配設されている。コンタクトパッド２２ｃｐ１〜コンタクトパッド２２ｃｐ１０におけるＨＧ−Ｄｕｏカード２２の先端側に臨む端部Ｅｆは、共通の直線上にあるように配置されている。また、コンタクトパッド２２ｃｐ１、コンタクトパッド２２ｃｐ２、コンタクトパッド２２ｃｐ６、コンタクトパッド２２ｃｐ８〜コンタクトパッド２２ｃｐ１４のＨＧ−Ｄｕｏカード２２の後端側に臨む端部Ｅｒも、共通の直線上にあるように配置されている。
【００２３】
なお、図４、図１２（Ａ）および（Ｂ）において、符号＃１〜＃１４は、ＩＣカードの各コンタクトパッドと後述の各コンタクト端子１８ａｉ（図４参照）との対応関係を説明する都合上、便宜的に付されている。
【００２４】
板状のＤｕｏカード２３は、例えば、図１２（Ｂ）に拡大されて示されるように、相対向する表面部２３Ａおよび裏面部２３Ｂを有する。なお、図１２（Ｂ）においては、Ｄｕｏカード２３の裏面部２３Ｂのみを示す。また、Ｄｕｏカード２３は、その先端の角部に、面取り部２３ｃを有している。
【００２５】
Ｄｕｏカード２３における裏面部２３Ｂには、その面取り部２３ｃに隣接した部分に形成される比較的浅い凹部２３ｂの周囲に、突起部がＤｕｏカード２３の側面に沿って所定の長さだけ形成されている。
【００２６】
また、Ｄｕｏカード２３の側面における突起部に対し所定距離、離隔した部分には、逃げ部２３ａが設けられている。逃げ部２３ａは、他の部分の厚さに比べて薄く形成されている。
【００２７】
Ｄｕｏカード２３の裏面部２３Ｂにおける先端部には、凹部２３ｂから中央側に離隔した位置に、複数の凹部がその長辺に対し略平行に所定の間隔で形成されている。各凹部の幅およびＤｕｏカード２３の長手方向に沿った長さは、互いに同一に設定されている。隣接する凹部相互間、および、その列の端に位置する凹部と凹部２３ｂとの間は、仕切壁により仕切られている。
【００２８】
図１２（Ｂ）において、凹部２３ｂに最も近い１番目の凹部の底面には、電極部としてのコンタクトパッド２３ｃｐ１（＃１）が配設されている。その凹部に隣接する２番目から１０番目の凹部の底面には、それぞれ、コンタクトパッド２３ｃｐ１と同一の長さのコンタクトパッド２３ｃｐ２（＃２）、２３ｃｐ３（＃３）、２３ｃｐ４（＃４）、２３ｃｐ５（＃５）、２３ｃｐ６（＃６）、２３ｃｐ７（＃７）、２３ｃｐ８（＃８）、２３ｃｐ９（＃９）、２３ｃｐ１０（＃１０）が配設されている。コンタクトパッド２３ｃｐ１〜コンタクトパッド２３ｃｐ１０におけるＤｕｏカード２３の先端側および後端側に臨む端部ＥｆおよびＥｒは、それぞれ、共通の直線上にあるように配置されている。なお、Ｄｕｏカード２３の先端面からコンタクトパッド２３ｃｐ１〜コンタクトパッド２３ｃｐ１０の後端部Ｅｒまでの距離Ｌ３は、ＨＧ−Ｄｕｏカード２２の先端面からコンタクトパッド２２ｃｐ１、コンタクトパッド２２ｃｐ２、コンタクトパッド２２ｃｐ６、コンタクトパッド２２ｃｐ８〜コンタクトパッド２２ｃｐ１４の後端部までの距離Ｌ２と比して短くなっている。換言すれば、Ｄｕｏカード２３におけるコンタクトパッド２３ｃｐ１〜コンタクトパッド２３ｃｐ１０の長さは、図１２（Ａ）および（Ｂ）に示されるように、ＨＧ−Ｄｕｏカード２２におけるコンタクトパッド２２ｃｐ１および２２ｃｐ１０の長さに比して小に設定されている。  ＩＣカード用コネクタは、図１に示されるように、収容されるＳＤカードＳＤＣ、ＨＧ−Ｄｕｏカード２２またはＤｕｏカード２３に対する電気的接続を行う複数のコンタクト端子等が配列されるベース部材１２と、ベース部材１２と協働して各カードの複合の収容部を形成するカバー部材１０とを含んで構成されている。
【００２９】
門形状断面形状を有するカバー部材１０は、薄板の金属材料で形成されている。カバー部材１０の両方の側面部には、それぞれ、図４に示されるベース部材１２の爪部１２ａ〜１２ｄがそれぞれ、係合される係合孔（不図示）がその爪部に対応して形成されている。
【００３０】
従って、カバー部材１０は、その各係合孔と、ベース部材１２の各爪部１２ａ〜１２ｄとがそれぞれ係合されることにより、ベース部材１２に対し固定されることとなる。
【００３１】
また、図２に示されるように、カバー部材１０の両側面部を連結する上面部における一方の側面部側には、後述するイジェクト機構２４におけるカムレバー２４Ｌを移動可能に支持する押さえバネ１０ｆが設けられている。弾性を有する押さえバネ１０ｆの基端部は、カバー部材１０に一体に形成されている。押さえバネ１０ｆは、例えば、カバー部材１０の一部がプレス加工によりその内側に向けて打ち抜かれて形成されている。従って、カバー部材１０における押さえバネ１０ｆに対応する部分の周囲には、開口が形成されている。
【００３２】
ベース部材１２におけるカード収容部は、図３および図４に示されるように、上方、および後述するコンタクト端子固定部側とは反対側の端部が、開口している。カード収容部は、図１に示されるように、その上方側部分１４Ｕに、ＳＤカードＳＤＣが収容され、その下方側部分１４Ｄにその一部重複してＨＧ−Ｄｕｏカード２２またはＤｕｏカード２３が収容されるような複合的なカード収容部とされる。
【００３３】
従って、上述のカバー部材１０によりベース部材１２が覆われることにより、図１に示されるように、カード収容部の一方の端部にＳＤカードＳＤＣ、ＨＧ−Ｄｕｏカード２２およびＤｕｏカード２３のうちの一枚のＩＣカードが選択的に通過される共通のカードスロットが形成されることとなる。
【００３４】
その共通のカードスロットとしての開口端部は、図示が省略されるが、挿入されるＳＤカードＳＤＣおよびＨＧ−Ｄｕｏカード２２およびＤｕｏカード２３の形状に対応した階段形状の横断面を有している。
【００３５】
その開口端部は、略長方形横断面を有し、ＨＧ−Ｄｕｏカード２２およびＤｕｏカード２３が通過する第１の案内部と、大小の略長方形を重ねたような横断面を有しＳＤカードＳＤＣが通過する第２の案内部と、第１の案内部の上端と第２の案内部の下端とを連結する一対の斜面部とにより形成されている。
【００３６】
これにより、ＳＤカードＳＤＣ、ＨＧ−Ｄｕｏカード２２およびＤｕｏカード２３の進行方向側の端部は、それぞれ、上方側に、または、下方側に向けて第２の案内部および第１の案内部に案内されて通過することとなる。
【００３７】
ベース部材１２は、例えば、成形樹脂材料で一体に成形されている。ベース部材１２は、図３に示されるように、ＳＤカードＳＤＣ、ＨＧ−Ｄｕｏカード２２およびＤｕｏカード２３が着脱可能に収容されるカード収容部の両側部をそれぞれ形成する側壁１２ＲＷ、１２ＬＷと、ＨＧ−Ｄｕｏカード２２およびＤｕｏカード２３用のコンタクト端子１８ａｉ（ｉ＝１〜１４）、ＳＤカードＳＤＣ用のコンタクト端子１６ａｉ（ｉ＝１〜９）が配されるコンタクト端子固定壁部１２ＦＷとを含んで構成されている。
【００３８】
側壁１２ＬＷの外面には、図３に示されるように、上述のカバー部材１０の係合孔に対応して爪部１２ａ，１２ｂ、１２ｃ、および１２ｄが所定の間隔で形成されている。側壁１２ＲＷの外面にも、同様な爪部１２ａ，１２ｂ、１２ｃ、および１２ｄが上述のカバー部材１０の係合孔に対応して所定の間隔で形成されている。
【００３９】
例えば、複数のコンタクト端子１６ａｉは、図３に示されるように、所定の相互間隔で側壁１２ＲＷ，１２ＬＷに対して略平行に、カード収容部におけるコンタクト端子固定壁部１２ＦＷに近い部分（上方側部分１４Ｕ）に配列されている。
【００４０】
また、複数のコンタクト端子１８ａｉは、所定の相互間隔で側壁１２ＲＷ，１２ＬＷに対して略平行に、カード収容部におけるコンタクト端子固定壁部１２ＦＷに近い部分であって上方側部分１４Ｕの下方の位置となる下方側部分１４Ｄに配列されている。上方側部分１４Ｕと下方側部分１４Ｄとの間は、コンタクト端子固定壁部１２ＦＷと一体に形成され固定される仕切板３０により仕切られている。平坦な仕切板３０は、ベース部材１２の底面部に対し略平行に形成されており、カードスロット側の先端が後述する誤挿入規制部材４２の回動領域内まで延在している。仕切板３０は、図９に示されるようにＳＤカードＳＤＣ挿入時、押し下げられるコンタクト端子１８ａｉの接点部の先端が挿入されるスリット３０ａｉ（ｉ＝１〜７）を有している。コンタクト端子１８ａｉの接点部の先端は、スリット３０ａｉの下方に配置される、一部のコンタクト端子１６ａｉには当接しないよう配置されている。このため、仕切板３０の厚みを薄くすることができるのでコネクタの小型化にとって有効となる。また、所定のスリット３０ａｉの周縁には、カバー部材１０に向かって所定の高さだけ突出するように誤挿入防止用の突起片３０ｓｔが形成されている。突起片３０ｓｔは、誤った向きで挿入されたＳＤカードＳＤＣの端部が当接されることによってＳＤカードＳＤＣの挿入を規制するものとされる。従って、突起片３０ｓｔは、所謂、ＳＤカードＳＤＣの裏差し、または、逆差しを防止するものとされる。
【００４１】
コンタクト端子１６ａｉは、弾性を有しＳＤカードＳＤＣのコンタクトパッドに当接し電気的に接続される接点部と、配線基板ＰＢの電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１６ａｉの固定部は、図示が省略されるが、コンタクト端子固定壁部１２ＦＷに形成される溝に、コンタクト端子固定壁部１２ＦＷに形成される透孔を通じてＳＤカードＳＤＣの挿入方向とは反対方向の側から圧入されることにより、ベース部材１２に固定されている。
【００４２】
コンタクト端子１８ａｉ（ｉ＝１〜１４）は、弾性を有し、ＨＧ−Ｄｕｏカード２２およびＤｕｏカード２３のコンタクトパッドに当接し電気的に接続される接点部と、上述の配線基板の電極部に半田付け固定され電気的に接続される半田付端子部と、その接点部と半田付端子部とを相互に連結し、ベース部材１２に固定される固定部とを含んで構成されている。コンタクト端子１８ａｉは、ベース部材１２とともにインサート成形されて設けられている。各コンタクト端子１８ａｉの半田付端子部は、図４に示されるように、コンタクト端子固定壁部１２ＦＷの端部から突出し、一列状に配列されている。２本のコンタクト端子１８ａｉと２本のコンタクト端子１８ａｉとの相互間には、上述のコンタクト端子１６ａｉの半田付端子部が配置されている。
【００４３】
その第１の接地ライン用コンタクト端子（＃１０）は、側壁１２ＲＷに最も近い位置に形成されるカード収容部の底部に配されている。第１の接地ライン用コンタクト端子（＃１０）は、ＨＧ−Ｄｕｏカード２２のコンタクトパッド２２ｃｐ１０、または、Ｄｕｏカード２３のコンタクトパッド２３ｃｐ１０に当接し電気的に接続される接点部を有している。
【００４４】
データ転送ライン用コンタクト端子（＃１４）は、第１の接地ライン用コンタクト端子（＃１０）に対し所定の間隔で側壁１２ＲＷから離隔する方向に隣接している。データ転送ライン用コンタクト端子（＃１４）の全長は、第１の接地ライン用コンタクト端子（＃１０）の全長よりも短く設定されている。
【００４５】
また、データ転送ライン用コンタクト端子（＃１４）は、ＨＧ−Ｄｕｏカード２２のコンタクトパッド２２ｃｐ９に当接し電気的に接続される接点部を有している。
【００４６】
データ転送ライン用コンタクト端子（＃１４）に隣接するカード検出ライン用コンタクト端子（＃６）の全長は、上述の第１の接地ライン用コンタクト端子（＃１０）の全長と略同一に設定されている。しかし、カード検出ライン用コンタクト端子（＃６）の接点部の位置が、第１の接地ライン用コンタクト端子（＃１０）の接点部の位置よりもコンタクト端子固定壁部１２ＦＷにより近い位置となるように、カード検出ライン用コンタクト端子（＃６）が配置されている。カード検出ライン用コンタクト端子（＃６）は、ＨＧ−Ｄｕｏカード２２のコンタクトパッド２２ｃｐ６に当接し電気的に接続される接点部を有している。
【００４７】
カード検出ライン用コンタクト端子（＃６）に隣接して３本のデータ転送ライン用コンタクト端子（＃１３、＃１２、＃１１）が並設されている。３本のデータ転送ライン用コンタクト端子は、互いに同一の構造を有しており、それぞれ、ＨＧ−Ｄｕｏカード２２のコンタクトパッド２２ｃｐ１３、２２ｃｐ１２，２２ｃｐ１１に当接し電気的に接続される接点部を有している。各データ転送ライン用コンタクト端子（＃１４、＃１３、＃１２、＃１１）の全長は、互いに同一に設定されている。従って、データ転送ライン用コンタクト端子（＃１４、＃１３、＃１２、＃１１）の接点部の位置は、すべてのコンタクト端子の接点部のうちで最もカードスロットに近い位置に設定されている。
【００４８】
なお、Ｄｕｏカード２３が挿入され、保持された場合、各データ転送ライン用コンタクト端子（＃１４、＃１３、＃１２、＃１１）は、電気的に接続される接点部としては利用されないこととなる。そのため、データ転送ライン用コンタクト端子（＃１４、＃１３、＃１２、＃１１）は、Ｄｕｏカード２３のコンタクトパッド２３ｃｐ３（＃３）〜２３ｃｐ５（＃５）、コンタクトパッド２３ｃｐ７（＃７）に当接しない。なお、斯かる例に限られることなく、例えば、データ転送ライン用コンタクト端子（＃１４、＃１３、＃１２、＃１１）は、Ｄｕｏカード２３のコンタクトパッド２３ｃｐ３（＃３）〜２３ｃｐ５（＃５）、コンタクトパッド２３ｃｐ７（＃７）に当接するように構成されても良い。
【００４９】
第２の接地ライン用コンタクト端子（＃１）の構造は、上述の第１の接地ライン用コンタクト端子（＃１０）の構造と同一の構造を有しており、ＨＧ−Ｄｕｏカード２２のコンタクトパッド２２ｃｐ１、または、Ｄｕｏカード２３のコンタクトパッド２３ｃｐ１に当接し電気的に接続される接点部を有している。
【００５０】
コンタクト端子固定壁部１２ＦＷには、７本のコンタクト端子が所定の間隔で設けられている。それらのコンタクト端子は、所定の相互間隔で側壁１２ＲＷ，１２ＬＷに対して略平行に配列されている。７本のコンタクト端子は、互いに同一の構造をそれぞれ有しており、例えば、第１の接地ライン用コンタクト端子（＃１０）に最も近くに隣接している電源ライン用コンタクト端子（＃９）は、ＨＧ−Ｄｕｏカード２２のコンタクトパッド２２ｃｐ９、または、Ｄｕｏカード２３のコンタクトパッド２３ｃｐ９に当接し電気的に接続される接点部を有している。
【００５１】
順次、隣接する他のコンタクト端子（＃８〜＃２）は、それぞれ、ＨＧ−Ｄｕｏカード２２のコンタクトパッド２２ｃｐ８、２２ｃｐ７、２２ｃｐ５，２２ｃｐ４，２２ｃｐ３，２２ｃｐ２、または、Ｄｕｏカード２３のコンタクトパッド２３ｃｐ８、２３ｃｐ６、２３ｃｐ２に当接し電気的に接続される接点部を有している。
【００５２】
コンタクト端子（＃９）の全長は、第１の接地ライン用コンタクト端子１６ａｉ（＃１０）の接点部がコンタクト端子（＃９）と側壁１２ＲＷとの間で共通の平面上に重複して並ぶように設定されている。
【００５３】
それらのコンタクト端子（＃７、＃５、＃４、＃３）は、それぞれ、上述のデータ転送ライン用コンタクト端子（＃１４、＃１３、＃１２、＃１１）と所定の間隔をもって向かい合って共通の直線上に配置されている。図４に示されるように、各コンタクト端子（＃２、＃８、＃９）の接点部近傍には、誤挿入防止壁が底部に突出するように形成されている。各誤挿入防止壁は、上述のＨＧ−Ｄｕｏカード２２およびＤｕｏカード２３のコンタクトパッドの幅よりも若干狭い幅で形成されている。また、誤挿入防止壁１０は、ＨＧ−Ｄｕｏカード２２の裏面部２２ＢおよびＤｕｏカード２３の裏面部２３からコンタクトパッドの表面までの高さよりも低く、且つ、各コンタクト端子（＃２、＃８、＃９）の接点部の先端の高さ位置よりも高く形成されている。これにより、ＨＧ−Ｄｕｏカード２２およびＤｕｏカード２３が、誤った向きでカード収容部に挿入された場合、第１のＩＣ２２カードおよびＤｕｏカード２３の先端部が、各誤挿入防止壁に当接し、それ以上の挿入を防ぐことができるので第１のＩＣ２２カードおよびＤｕｏカード２３によるコンタクト端子の破壊防止が可能となる。
【００５４】
コンタクト端子（＃７、＃５、＃４、＃３）と、データ転送ライン用コンタクト端子（＃１４、＃１３、＃１２、＃１１）とを比較した場合、データ転送ライン用コンタクト端子（＃１４、＃１３、＃１２、＃１１）の全長および幅が、そのコンタクト端子の全長よりも長く、その幅よりも広く形成されている。これにより、共通の直線上に配されるコンタクト端子の接点部のＨＧ−Ｄｕｏカード２２のコンタクトパッドに対する所定の接触圧力が均等に作用される。
【００５５】
コンタクト端子（＃２）の全長は、側壁１２ＬＷとコンタクト端子（＃２）との間で、第２の接地ライン用コンタクト端子（＃１）の接点部が共通の平面上に重複して並ぶように設定されている。
【００５６】
従って、カード収容部における下方側部分１４Ｄには、ＨＧ−Ｄｕｏカード２２またはＤｕｏカード２３のうちの１枚のＩＣカードが着脱可能に装着されることとなる。
【００５７】
側壁１２ＲＷの内側部分には、図３に示されるように、ＳＤカードＳＤＣおよびＨＧ−Ｄｕｏカード２２またはＤｕｏカード２３のうちの１枚のＩＣカードを、カード収容部に保持するとともに、カード収容部からその１枚のＩＣカードを選択的に排出するイジェクト機構２４が設けられている。
【００５８】
イジェクト機構２４は、ベース部材１２に対し移動可能に支持され、ＳＤカードＳＤＣ等を選択的に保持するイジェクタ部材２４Ｊと、ベース部材１２のコンタクト端子固定壁部１２ＦＷに隣接する壁およびイジェクタ部材２４Ｊ相互間に介装され、イジェクタ部材２４ＪをＳＤカードＳＤＣの排出方向に付勢するコイルスプリング２４Ｓと、ＳＤカードＳＤＣの着脱操作に応じてイジェクタ部材２４Ｊを選択的にベース部材１２に対し保持または解放する制御を行うイジェクト部材制御部と、を含んで構成されている。
【００５９】
イジェクト部材制御部は、例えば、特開２００４−３１１４１６号公報にも示されるようなイジェクタ部材２４Ｊにおける側壁１２ＲＷ側に形成された略ハート形状のカム要素２４ＨＣ（ハートカム）（図５参照）と、ハートカムの周囲に形成された複数の段差部からなるレバー案内溝２４ＪＧと、一方の端部が側壁１２ＲＷの孔に連結され、他方の端部がレバー案内溝２４ＪＧに沿って摺動せしめられる門形状のカムレバー２４Ｌと、上述のカバー部材１０の押えバネ１０ｆ（図２参照）とを含んで構成されている。
【００６０】
押えバネ１０ｆは、カムレバー２４Ｌの屈曲された先端をレバー案内溝の案内面に対し摺接するように付勢するものとされる。これにより、カムレバー２４Ｌの一端部が、イジェクト部材２４Ｊの動作に追従してレバー案内溝２４ＪＧを構成する各案内溝を順次、経由して案内され、ハートカム２４ＨＣに形成されるカム面に一旦、保持されることによって、ＳＤカードＳＤＣ等を伴うイジェクタ部材２４Ｊがカード収容部内に保持されることとなる。そして、ＳＤカードＳＤＣ等のさらなる押し込み操作により、そのカムレバー２４Ｌの一端部が、カム面から離隔されるとき、ＳＤカードＳＤＣ等を伴うイジェクタ部材２４Ｊがコイルスプリング２４Ｓの付勢力によりカード排出方向に移動せしめられる。
【００６１】
イジェクタ部材２４Ｊは、図５乃至図７に拡大されて示されるように、第１のカード受け部２４Ｊａをハートカム２４ＨＣに隣接して上端部に有している。第１のカード受け部２４Ｊａは、図１において、上方側部分１４Ｕに位置するＳＤカードＳＤＣの先端部における傾斜した面取り部を受け止めるものとされる。また、イジェクタ部材２４Ｊにおけるカード受け部２４Ｊａよりも下方の部分には、第２のカード受け部２４ＪＳが形成されている。第２のカード受け部２４ＪＳは、図１において下方側部分１４Ｄに位置するＨＧ−Ｄｕｏカード２２およびＤｕｏカード２３の先端部における面取り部２２ｃおよび２３ｃに向き合う角部を受け止めるものとされる。
【００６２】
さらに、カード収容部におけるカードスロットの一部を形成する側壁１２ＲＷ、１２ＬＷの内側には、カード誤挿入防止機構が設けられている。カード誤挿入防止機構は、例えば、特開２００７−１６５０１１号公報に示される構成と類似した構成を有し、図３および図４に示されるように、挿入されるＨＧ−Ｄｕｏカード２２およびＤｕｏカード２３の進行方向の端部が当接することにより、ＨＧ−Ｄｕｏカード２２およびＤｕｏカード２３のコンタクト端子１６ａｉへの誤った侵入を規制する誤挿入規制部材４２と、誤挿入規制部材４２をロック状態、またはアンロック状態とする一対のロック部材２８Ｒ、２８Ｌと、誤挿入規制部材４２を一方向に付勢するねじりコイルバネ３２とを含んで構成されている。
【００６３】
クランクのように形成される誤挿入規制部材４２は、両端に軸部を有するとともに、軸部を互いに連結する連結部を中央部に有している。
【００６４】
円柱状の軸部は、それぞれ、ベース部材１２のカード収容部内に形成される軸受部に回動可能に支持されている。また、軸部の半径方向の移動は、それぞれ、後述するロック部材２８Ｒ、２８Ｌの可動片２８Ｒｍおよび２８Ｌｍの円弧部により規制されている。軸部の外周部には、それぞれ、ねじりコイルバネ３２が巻装されている。ねじりコイルバネ３２の一端は、誤挿入規制部材４２の端部に係止され、また、ねじりコイルバネ３２の他端は、ベース部材１２の側壁部に係止されている。これにより、誤挿入規制部材４２は、図１に示される矢印Ｆの示す方向、即ち、軸部を中心としてＳＤカードＳＤＣの排出方向となる時計回り方向に付勢されることとなる。
【００６５】
上述の連結部は、長手方向の一方の端部に、挿入されるＳＤカードＳＤＣまたはＨＧ−Ｄｕｏカード２２およびＤｕｏカード２３の端部が当接する当接面を有している。その当接面における左端の一部には、所定の深さおよび勾配を有する窪み（不図示）がその長手方向に沿って所定の長さだけ形成されている。
【００６６】
軸部が互いに連結される連結部の両端には、後述するロック部材２８Ｒ、２８Ｌの可動片２８Ｒｍおよび２８Ｌｍの開口部（不図示）の周縁部にそれぞれ、係止される切欠部が形成されている。その切欠部は、上述の連結部における当接面に対向する端面に形成されている。
【００６７】
従って、可動片２８Ｒｍおよび２８Ｌｍの上述の開口部の周縁部に係合される鉤状の係合部４２ＥＲおよび４２ＥＬが、連結部の両端に形成されることとなる。
【００６８】
一対のロック部材２８Ｒ、２８Ｌは、互いに同一の構造を有するのでロック部材２８Ｒについて説明し、ロック部材２８Ｌの説明を省略する。
【００６９】
ロック部材２８Ｒは、ベース部材１２の側壁１２ＲＷに直線状に形成される溝に圧入される固定片と、その固定片の一端に一体に形成される可動片２８Ｒｍとを含んで構成されている。
【００７０】
可動片２８Ｒｍにおける固定片の一端に連なる部分には、湾曲部が、ＳＤカードＳＤＣの側部が通過する部分に張り出すように形成されている。これにより、ロック部材２８Ｒの湾曲部と相対向するロック部材２８Ｌの湾曲部との相互間距離は、ＳＤカードＳＤＣの横幅寸法よりも若干小なる寸法であって、ＨＧ−Ｄｕｏカード２２およびＤｕｏカード２３の横幅寸法よりも大なる寸法とされる。
【００７１】
可動片２８Ｒｍの一端には、上述の誤挿入規制部材４２の係合部４２ＥＲが挿入される矩形状の開口部（不図示）が形成されている。開口部の周縁と係合部４２ＥＲの外周部との間には、可動片２８Ｒｍの一端が移動し得るような所定の隙間が形成されている。また、可動片２８Ｒｍの湾曲部に隣接して可動片２８Ｒｍの初期位置を規制するストッパ片２０が設けられている。
【００７２】
これにより、ＳＤカードＳＤＣの側部がロック部材２８Ｒの湾曲部と相対向するロック部材２８Ｌの湾曲部との間を通過する場合、各湾曲部がＳＤカードＳＤＣの両側部によりそれぞれ押圧されるので可動片２８Ｒｍの開口部は、誤挿入規制部材４２の係合部４２ＥＲに対し離隔することとなる。従って、ロック部材２８Ｒ、２８Ｌは、誤挿入規制部材４２をアンロック状態とすることとなる。
【００７３】
一方、ロック部材２８Ｒの湾曲部と相対向するロック部材２８Ｌの湾曲部とを押圧する状態から非押圧状態とされる場合、例えば、ＳＤカードＳＤＣがカード収容部から排出された場合、可動片２８Ｒｍは、その湾曲部の復元力により、上述の初期の位置に戻り、上述の開口部は、ねじりコイルバネ３２の付勢力により付勢され回動された誤挿入規制部材４２の係合部４２ＥＲに対し挿入されることとなる。従って、ロック部材２８Ｒ、２８Ｌは、誤挿入規制部材４２を再び、初期状態のようにロック状態とすることとなる。
【００７４】
斯かる構成において、ＳＤカードＳＤＣがカード収容部に装着される場合、カードスロットを通過するＳＤカードＳＤＣの先端部により、ロック部材２８Ｒの湾曲部と相対向するロック部材２８Ｌの湾曲部とが互いに離隔する方向に押圧されることとなる。これにより、可動片２８Ｒｍおよび可動片２８Ｌｍの開口部が、それぞれ、誤挿入規制部材４２の係合部４２ＥＲおよび４２ＥＬに対し離隔せしめられる。従って、誤挿入規制部材４２は、アンロック状態とされる。
【００７５】
次に、ＳＤカードＳＤＣの先端部がさらに進行方向に沿って挿入されることにより、ＳＤカードＳＤＣの先端部が誤挿入規制部材４２の当接面に当接した状態で誤挿入規制部材４２がネジリコイルバネ３２の付勢力に抗して回動されることにより、誤挿入規制部材４２の真上を通過してイジェクト部材２４Ｊにより所定位置に保持されることとなる。従って、ＳＤカードＳＤＣの後端部が、図８および図９に示されるように、所定の長さＬだけカードスロットから突出することとなる。
【００７６】
一方、ＳＤカードＳＤＣがカード収容部から取り出される場合、ＳＤカードＳＤＣがさらに若干押し込まれることにより、イジェクト機構のコイルスプリング２４Ｓの付勢力により、イジェクト部材２４ＪとともにＳＤカードＳＤＣが排出方向に移動せしめられる。その際、誤挿入規制部材４２がねじりコイルバネ３２の付勢力により、カードスロット側に向けて回動されるとともに、ロック部材２８Ｒの可動片２８Ｒｍの開口部と相対向するロック部材２８Ｌの可動片Ｌｍの開口部が、その復元力により、係合部４２ＥＲおよび４２ＥＬに対向する位置に戻り、挿入される。これにより、誤挿入規制部材４２が再び、初期のロック状態に戻される。
【００７７】
ＨＧ−Ｄｕｏカード２２およびＤｕｏカード２３のうちのいずれか一方が、カード収容部の正規の位置に装着される場合、図１０に示されるように、挿入されたＨＧ−Ｄｕｏカード２２の先端が、カードスロットの案内部およびロック部材２８Ｒの湾曲部と相対向するロック部材２８Ｌの湾曲部との相互間を通過し、誤挿入規制部材４２の連結部の真下を通過して正規の下方のカード収容部の下方側部分１４Ｄに導入されることとなる。その際、上述の第２のカード受け部２４ＪＳにより所定位置に保持されることとなる。従って、
ＨＧ−Ｄｕｏカード２２の後端部は、図１０および図１１に示されるように、上述したＳＤカードＳＤＣの突出長さＬ（図８参照）と略同一の所定の長さＬだけカードスロットから突出することとなる。
【００７８】
このような場合、ＨＧ−Ｄｕｏカード２２がカードスロットを通じてカード収容部内に挿入される時点において、データ転送ライン用コンタクト端子（＃１１、＃１２、＃１３、＃１４）に対しＨＧ−Ｄｕｏカード２２におけるコンタクトパッド２２ｃｐ３、２２ｃｐ４、２２ｃｐ５、２２ｃｐ７がそれぞれ摺接を開始し、次に、第１の接地ライン用コンタクト端子（＃１）、および、第２の接地ライン用コンタクト端子（＃１０）の接点部が、それぞれ、ＨＧ−Ｄｕｏカード２２のコンタクトパッド２２ｃｐ１０、および、２２ｃｐ１に当接される。
【００７９】
一方、ＨＧ−Ｄｕｏカード２２がカード収容部から取り出される場合、ＨＧ−Ｄｕｏカード２２がさらに若干押し込まれることにより、イジェクト機構のコイルスプリング２４Ｓの付勢力により、第２のカード受け部２４ＪＳとともにＨＧ−Ｄｕｏカード２２が排出方向に移動せしめられる。
【００８０】
仮に、ＨＧ−Ｄｕｏカード２２が誤ってコンタクトパッドが形成されていない端部が進行方向に向けられて挿入された場合、先ず、その進行方向の端部が誤挿入規制部材４２の当接面に当接し、その進行方向の端部の左側側部がロック部材２８Ｌの湾曲部を押圧したとき、可動片２８Ｌｍがストッパ片２０および誤挿入規制部材４２の係合部４２ＥＬから離隔され、誤挿入規制部材４２は、アンロック状態とされる。
【００８１】
次に、アンロック状態とされた誤挿入規制部材４２の当接面が、ＨＧ−Ｄｕｏカード２２における進行方向の端部でねじりコイルバネ３２の付勢力に抗してさらに押圧されるとき、ねじりコイルバネ３２の付勢力と可動片２８Ｌｍの復元力とが釣り合い、誤挿入規制部材４２の係合部４２ＥＬの端面が可動片２８Ｌｍに当接した状態で保持されることとなる。その際、誤挿入規制部材４２の係合部４２ＥＲは、その切欠部の一部が開口部の周縁に嵌まるように回転せしめられる。従って、係合部４２ＥＲはアンロック状態とはならないので誤挿入規制部材４２は、ＨＧ−Ｄｕｏカード２２の誤った挿入操作を阻止することとなる。
【符号の説明】
【００８２】
１２    ベース部材
１４Ｕ    上方側部分
１４Ｄ    下方側部分
１６ａｉ，１８ａｉ    コンタクト端子
２２    ＨＧ−Ｄｕｏカード
２３    Ｄｕｏカード
２４Ｊ    イジェクタ部材
３０    仕切板
４２    誤挿入規制部材
【図１】
2011034878.tif 000003
【図２】
2011034878.tif 000004
【図３】
2011034878.tif 000005
【図４】
2011034878.tif 000006
【図５】
2011034878.tif 000007
【図６】
2011034878.tif 000008
【図７】
2011034878.tif 000009
【図８】
2011034878.tif 000010
【図９】
2011034878.tif 000011
【図１０】
2011034878.tif 000012
【図１１】
2011034878.tif 000013
【図１２】
2011034878.tif 000014